(57)【要約】分割面の範囲に設けられて軸受メタル背面から突出しかつ軸受メタルの厚さの一部にわたってのみ延びる変形区域を形成する少なくとも１つの保持カムを有する、滑り軸受の軸受メタルが記載される。有利な構造状態を与えるため、変形区間が舌片から成り、分割面から始まる切込みにより、舌片が軸受メタルから部分的に切出されて外側へ曲げられていることが提案される。
2005536696.tif 000002
【特許請求の範囲】
【請求項１】
滑り軸受の軸受メタルであって、分割面の範囲に設けられて軸受メタル背面から突出しかつ軸受メタルの厚さの一部にわたってのみ延びる変形区域を形成する少なくとも１つの保持カムを有するものにおいて、変形区間が舌片（５）から成り、分割面（２）から始まる切込み（６）により、舌片（５）が軸受メタル（１）から部分的に切出されて外側へ曲げられていることを特徴とする、滑り軸受の軸受メタル。
【請求項２】
分割面の範囲に設けられて軸受メタル背面から突出しかつ軸受メタルの厚さの一部にわたってのみ延びる変形区域を形成する少なくとも１つの保持カムを有する滑り軸受の軸受メタルを製造する方法において、楔状分裂工具により分割面から始まる切込みによって、保持カムを形成する舌片が漸進的に切出され、軸受メタルから外側へ曲げられることを特徴とする、方法。
【請求項３】
舌片の漸進的な切出し及び外側曲げ中に軸受メタル背面から突出する舌片の側方端面の範囲が、分裂工具と共同作用する対向刃により切落とされることを特徴とする、請求項１に記載の方法。
【発明の詳細な説明】
【技術分野】
【０００１】  本発明は、滑り軸受の軸受メタルであって、分割面の範囲に設けられて軸受メタル背面から突出しかつ軸受メタルの厚さの一部にわたってのみ延びる変形区域を形成する少なくとも１つの保持カムを有するものに関する。
【背景技術】
【０００２】  滑り軸受の軸受メタルを適当な軸受ハウジング内に簡単に位置ぎめできるようにするため、軸受メタルは、分割面の範囲に少なくとも１つの保持カムを備えており、この保持カムは軸受メタル背面から突出して、保持カムに合わされた軸受ハウジングの凹所に係合している。このような保持カムを形成するため、軸受メタルの分割面を半径方向外側にあって軸線方向に区画される区域に据え込み形成して、軸受メタル材料が半径方向外方へ可塑的に押出されるようにすることが公知である（ドイツ連邦共和国特許第３２３０７００号明細書）。軸受メタルの厚さの一部にわたってのみ延びるこの変形区域は保持カムを形成し、軸受メタルの滑り面が保持カムの突出成形部によって妨げられないという利点を持っている。しかし不利なことは、十分な寸法の保持カムを形成するため、それに応じて大きい容積の材料を押出さねばならず、それが軸受メタルの厚さの減少につれてますます困難になることである。この理由から、壁薄の軸受メタルでは、保持カムを設けるべき範囲における軸受メタル壁が全体として膨出され（ドイツ連邦共和国特許第１９６３１６６３号明細書）、これに伴う欠点は、膨出される変形区域の範囲で荷重を負担する滑り面範囲が中断されることである。
【発明の開示】
【０００３】  従って本発明の基礎になっている課題は、簡単な手段で、壁薄の軸受メタルでも充分な寸法の保持カムの形成が保証されるように、最初にあげた種類の滑り軸受の軸受メタルを構成することである。
【０００４】  本発明は、変形区間が舌片から成り、分割面から始まる切込みにより、舌片が軸受メタルから部分的に切出されて外側へ曲げられていることによって、与えられた課題を解決する。
【０００５】  この手段のため、保持カムを形成する軸受メタルの変形区域は舌片から成り、この舌片が、分割面に対してなるべく直角で軸受メタルに関して軸線方向に向く切込みにより、軸受メタルから一部切出され、外側へ曲げられるので、軸受メタル背面からの保持カムの半径方向突出長は、一方では舌片の長さ従って切込みの深さに関係し、他方では外側への曲げ角に関係しているが、材料押出しには関係しないので、保持カムの範囲における滑り面に悪影響を及ぼすことなく、比較的薄い軸受メタルでも、軸受メタル背面から充分突出する保持カムが可能である。更に軸受メタルの切込みのため、変形区域の形成のために費やすべき力が、そうしない場合に必要な据え込み力と比較して小さく保たれる。更に冷間変形による材料硬化が限られており、それにより特に舌片根元の範囲従って舌片から軸受メタル背面への移行範囲における亀裂形成の危険が小さく保たれるので、本発明により変形区域を一部切出される舌片として構成することにより、保持カムの範囲における軸受メタルの強度特性は比較的僅かしか悪影響を受けない。
【０００６】  軸受メタル壁から外側へ曲げられる舌片から成る保持カムを持つこのような軸受メタルを製造するため、楔状分裂工具により分割面から始まる切込みによって、保持カムを形成する舌片が有利に漸進的に切出され、軸受メタルから外側へ曲げられるので、保持カムの形成には１つの工程しか必要とされない。分裂工具の楔形状は、切込み深さに関係して、舌片の外側への曲げの程度従って保持カムの形状を決定する。
【０００７】  舌片の一部切出しのための切込みが、舌片範囲のみにおける軸受メタルの変形を生じるけれども、それに続く範囲における変形を生じないようにするため、通常のように軸受メタルは滑り面及び軸受メタル背面の範囲において締付けられねばならない。軸受メタル背面の範囲における支持は、舌片範囲においてのみ中断されるので、舌片範囲に設けられる切欠きへ楔状分裂工具を差込む際、舌片が外側へ曲げられる。そのつど設けられる工作物受入れ部の軸受メタル背面に当接する切欠き縁は、分裂工具と共同作用する対向刃として構成されることができるので、舌片の漸進的な切出し及び外側曲げ中に軸受メタル背面から突出する舌片の側方端面の範囲が、この対向刃により切落とされて、軸受メタル軸線に関する保持カムの正確な広がりを付加的な工程なしに保証することができる。
【０００８】  図面には本発明の対象が例として示されている。
【発明を実施するための手段】
【０００９】  特に図１からわかるように、滑り軸受ハウジング１は、その分割面２の範囲に、軸受メタル背面３から半径方向に突出する保持カム４を持ち、この保持カムは舌片５により形成され、この舌片は切込み６により軸受メタル１から一部切出され、外側へ曲げられている。分割面２から始まる切込み６は、図１によれば分割面２に対してほぼ直角に延び、図２によれば軸受メタル軸線７に対して平行に延びている。
【００１０】  軸受メタル１から一部切出されて外側へ曲げられる舌片５の形の保持カム４を形成するため、軸受けメタル１が工作物受入れ部８内で締付けられ、しかも少なくとも分割面２の範囲で軸受メタル１を工作物受入れ部８へ押付ける押圧ラム９により締付けられ、従って押圧ラム９は、形成すべき保持カム４の範囲で、加工に合わせて締付ける。軸受メタル１は、ストッパ１０を介して固定される。
【００１１】  形成すべき保持カム４の範囲において、形成すべき舌片５を外側へ曲げるのを可能にするため、工作物受入れ部８は、舌片幅に合わされる切欠き１１を備えている。この舌片５を一部切出すため、楔状分裂工具１２が用いられ、その刃先１３は切出すべき舌片５の幅に一致している。分裂工具１２の楔形状のため、分裂工具１２を分割面２へ差込む際、舌片５が漸進的に軸受メタル１から切出され、同時に図４に示すように外側へ曲げられる。軸受メタル背面３に当接する工作物受入れ部８の切欠き１１の縁は、分裂工具１２と共同作用する対向刃１４を形成しているので、舌片５の外側への曲げと同時に、軸受メタル背面３から突出する舌片５の側方端面の範囲を切落とすので、舌片５の幅を狭い公差範囲に規定することができる。これに関連して考慮すべきことは、刃先１３から始まる分裂工具１２の側面稜１５も、舌片５の側方せん断を援助する切断稜を形成していることである。
【図面の簡単な説明】
【００１２】
【図１】  本発明による保持カムを持ちかつ工作物受入れ部へはめられた滑り軸受の軸受メタルを、軸受メタル軸線に対して直角な断面図で示す。
【図２】  工作物受入れ部へはめられた図１の軸受メタルを平面図で示す。
【図３】  はめられた軸受メタルを持つ工作物受入れ部の側面図を示す。
【図４】  分裂工具を差込まれた保持カムの範囲における軸受メタルを、軸線に対して直角な拡大断面図で示す。
【図１】
2005536696.tif 000003
【図２】
2005536696.tif 000004
【図３】
2005536696.tif 000005
【図４】
2005536696.tif 000006
【国際調査報告】
2005536696.tif 000007
2005536696.tif 000008
2005536696.tif 000009
2005536696.tif 000010